(57)【要約】【課題】ポート間の接続の正誤を検出できる。【解決手段】光伝送装置は、自然放射増幅光が入力される第１カプラ１１３に接続され、且つ、光のうちの所定の周波数帯域を有する成分を透過する第１フィルタ１１４と、第１フィルタを透過した光の強度を検出する第１光検出器１１５と、第１カプラに接続された第１ポート１１６と、第１ポートに接続される第２ポート１２１と、第２ポートに接続された第２カプラ１２２に接続され、且つ、光のうちの所定の周波数帯域を有する成分を透過するとともに、周波数帯域が第１フィルタにより透過される光の成分の周波数帯域と一致する第２フィルタ１２３と、第２フィルタに接続されるとともに、入力された光を反射する反射部１２４と、を備える。【選択図】図３
2017041847.tif 000002
【特許請求の範囲】
【請求項１】
自然放射増幅光が入力される第１カプラと、
前記第１カプラに接続され、且つ、入力された光のうちの所定の周波数帯域を有する成分を透過する第１フィルタと、
前記第１フィルタを透過した光の強度を検出する第１光検出器と、
前記第１カプラに接続された第１ポートと、
前記第１ポートに接続されるように構成された第２ポートと、
前記第２ポートに接続された第２カプラと、
前記第２カプラに接続され、且つ、入力された光のうちの所定の周波数帯域を有する成分をそれぞれ透過するとともに、前記周波数帯域が前記第１フィルタにより透過される光の成分の周波数帯域と一致する第２フィルタと、
前記第２フィルタに接続されるとともに、入力された光を反射する反射部と、
を備える、光伝送装置。
【請求項２】
請求項１に記載の光伝送装置であって、
前記第１カプラと、前記第１フィルタと、前記第１光検出器と、前記第１ポートと、前記第２ポートと、前記第２カプラと、前記第２フィルタと、を含む要素群を複数備え、
前記複数の要素群にそれぞれ含まれる前記複数の第１フィルタは、前記周波数帯域が互いに異なり、
前記複数の要素群のそれぞれに含まれる前記第２フィルタにより透過される光の成分の周波数帯域は、前記第２フィルタを含む要素群に含まれる前記第１フィルタにより透過される光の成分の周波数帯域と一致し、
前記反射部は、前記複数の要素群にそれぞれ含まれる前記複数の第２フィルタのそれぞれに接続されるとともに、入力された光を反射する、光伝送装置。
【請求項３】
請求項２に記載の光伝送装置であって、
第３ポートと、
前記第３ポートと、前記複数の第２カプラの１つと、を接続するとともに、前記第３ポートに接続される第２カプラを前記複数の第２カプラの中で切り替える切替器と、
を備える、光伝送装置。
【請求項４】
請求項３に記載の光伝送装置であって、
前記複数の第２カプラと前記切替器との間の複数の光の強度をそれぞれ検出する複数の第２光検出器を備える、光伝送装置。
【請求項５】
請求項３又は請求項４に記載の光伝送装置であって、
前記切替器と前記第３ポートとの間の光の強度を検出する第３光検出器を備える、光伝送装置。
【請求項６】
請求項２乃至請求項５のいずれか一項に記載の光伝送装置であって、
前記反射部は、
前記複数の第２フィルタのそれぞれに接続された第３カプラと、
前記第３カプラに接続されるとともに、入力された光を反射する反射器と、
を含む、光伝送装置。
【請求項７】
請求項２乃至請求項６のいずれか一項に記載の光伝送装置であって、
前記反射部は、
前記複数の第２フィルタにそれぞれ接続されるとともに、入力された複数の光をそれぞれ反射する複数の反射器を含む、光伝送装置。
【請求項８】
請求項２乃至請求項７のいずれか一項に記載の光伝送装置であって、
光の強度と、前記複数の第１ポートと前記複数の第２ポートとの接続の正誤と、の関係を記憶する記憶部と、
前記複数の第１光検出器により検出された強度と、前記記憶された関係と、に基づいて、前記複数の第１ポートと前記複数の第２ポートとの接続の正誤を判定する処理部と、
を備える、光伝送装置。
【請求項９】
自然放射増幅光を、第１ポートと、前記第１ポートに接続された第２ポートと、に順に導いた後に、入力された光のうちの所定の周波数帯域を有する成分を透過する第２フィルタに導き、
前記第２フィルタを透過した光を反射し、
前記反射された光を、前記第２ポートと、前記第１ポートと、に順に導いた後に、入力された光のうちの所定の周波数帯域を有する成分を透過するとともに前記周波数帯域が前記第２フィルタにより透過される光の成分の周波数帯域と一致する第１フィルタに導き、
前記第１フィルタを透過した光の強度を検出し、
前記検出された強度に基づいて、前記第１ポートと前記第２ポートとの間の接続の正誤を判定する、接続判定方法。
【請求項１０】
請求項９に記載の接続判定方法であって、
自然放射増幅光を、複数の前記第１ポートと、前記複数の第１ポートにそれぞれ接続された複数の前記第２ポートと、に順に導いた後に、入力された光のうちの所定の周波数帯域を有する成分をそれぞれ透過するとともに前記周波数帯域が互いに異なる複数の前記第２フィルタに導き、
前記複数の第２フィルタを透過した複数の光を反射し、
前記反射された複数の光を、前記複数の第２ポートと、前記複数の第１ポートと、に順に導いた後に、入力された光のうちの所定の周波数帯域を有する成分をそれぞれ透過するとともに前記周波数帯域が前記複数の第２フィルタにより透過される光の成分の周波数帯域とそれぞれ一致する複数の前記第１フィルタに導き、
前記複数の第１フィルタを透過した複数の光の強度をそれぞれ検出し、
前記検出された強度に基づいて、前記第１ポートと前記第２ポートとの間の接続の正誤を判定する、接続判定方法。
【請求項１１】
請求項１０に記載の接続判定方法であって、
第３ポートと、前記複数の第２ポートの１つと、を接続し、
前記第３ポートに接続される第２ポートを前記複数の第２ポートの中で切り替え、
前記切り替えの前の時点、及び、前記切り替えの後の時点のそれぞれにて、前記複数の第２ポートと前記第３ポートとの間の複数の光の強度をそれぞれ検出し、
前記切り替えの前の時点、及び、前記切り替えの後の時点のそれぞれにて前記検出された強度に基づいて、前記第３ポートに接続されたポートの接続の正誤を判定する、接続判定方法。
【請求項１２】
請求項１０又は請求項１１に記載の接続判定方法であって、
前記複数の第２フィルタを透過した複数の光を合波し、
前記合波された光を反射する、接続判定方法。
【請求項１３】
請求項１０乃至請求項１２のいずれか一項に記載の接続判定方法であって、
光の強度と、前記複数の第１ポートと前記複数の第２ポートとの接続の正誤と、の関係と、前記複数の第１光検出器により検出された強度と、に基づいて、前記複数の第１ポートと前記複数の第２ポートとの接続の正誤を判定する、接続判定方法。
【発明の詳細な説明】
【技術分野】
【０００１】
本発明は、光伝送装置、及び、接続判定方法に関する。
【背景技術】
【０００２】
複数の光伝送装置が通信網を形成する光通信システムが知られている（例えば、特許文献１を参照）。各光伝送装置には、他の複数の光伝送装置が複数の通信ケーブルを介してそれぞれ接続される。各光伝送装置は、他の複数の光伝送装置からそれぞれ受信した複数の光のいずれかをトランスポンダ部に接続する切替部を備える。
【先行技術文献】
【特許文献】
【０００３】
【特許文献１】特開２００６−１９１２１２号公報
【発明の概要】
【発明が解決しようとする課題】
【０００４】
例えば、光伝送装置は、受信した複数の光をそれぞれ増幅する複数の増幅器を含む増幅部と、増幅部からの複数の光のいずれかをトランスポンダ部に接続する切替部と、を備える。増幅部と切替部とは、複数の光をそれぞれ伝送する複数の通信ケーブルを介して接続される。このため、増幅部及び切替部のそれぞれは、当該複数の通信ケーブルが接続される複数のポートを有する。
【０００５】
ところで、通信ケーブルの接続先であるポートが誤って選択されることにより、増幅部のポートと、切替部のポートと、が誤って接続されることがある。また、光通信システムが形成する通信網がメッシュ型のネットワークトポロジーを有する場合、各光伝送装置に接続される他の光伝送装置は多くなりやすい。従って、この場合、増幅部のポートと、切替部のポートと、が誤って接続されやすい。しかしながら、光伝送装置は、ポート間の接続の正誤を検出できない。
【０００６】
一つの側面として、本発明の目的の一つは、ポート間の接続の正誤を検出することにある。
【課題を解決するための手段】
【０００７】
一つの側面では、光伝送装置は、自然放射増幅光が入力される第１カプラを備える。更に、光伝送装置は、上記第１カプラに接続され、且つ、入力された光のうちの所定の周波数帯域を有する成分を透過する第１フィルタを備える。加えて、光伝送装置は、上記第１フィルタを透過した光の強度を検出する第１光検出器と、上記第１カプラに接続された第１ポートと、を備える。更に、光伝送装置は、上記第１ポートに接続されるように構成された第２ポートと、上記第２ポートに接続された第２カプラと、第２フィルタと、を備える。上記第２フィルタは、上記第２カプラに接続され、且つ、入力された光のうちの所定の周波数帯域を有する成分を透過するとともに上記周波数帯域が上記第１フィルタにより透過される光の成分の周波数帯域と一致する。加えて、光伝送装置は、上記第２フィルタに接続されるとともに、入力された光を反射する反射部を備える。
【０００８】
また、一つの側面では、接続判定方法は、自然放射増幅光を、第１ポートと、上記第１ポートに接続された第２ポートと、に順に導いた後に、第２フィルタに導く。第２フィルタは、入力された光のうちの所定の周波数帯域を有する成分を透過する。加えて、接続判定方法は、上記第２フィルタを透過した光を反射し、上記反射された光を、上記第２ポートと、上記第１ポートと、に順に導いた後に、第１フィルタに導く。第１フィルタは、入力された光のうちの所定の周波数帯域を有する成分を透過するとともに上記周波数帯域が上記第２フィルタにより透過される光の成分の周波数帯域と一致する。更に、接続判定方法は、上記第１フィルタを透過した光の強度を検出し、上記検出された強度に基づいて、上記第１ポートと上記第２ポートとの間の接続の正誤を判定する。
【発明の効果】
【０００９】
ポート間の接続の正誤を検出できる。
【図面の簡単な説明】
【００１０】
【図１】第１実施形態の光通信システムの構成の一例を表すブロック図である。
【図２】図１の光伝送装置の構成の一例を表すブロック図である。
【図３】図２の受信部の構成の一例を表すブロック図である。
【図４】図３の増幅部フィルタを透過する光が有する周波数帯域の一例を表すグラフである。
【図５】図２の記憶部が記憶する強度接続関係の一例を表すテーブルである。
【図６】第１実施形態の第１変形例の受信部の構成の一例を表すブロック図である。
【図７】第１実施形態の第２変形例の受信部の構成の一例を表すブロック図である。
【図８】第１実施形態の第２変形例の記憶部が記憶する強度接続関係の一例を表すテーブルである。
【図９】第１実施形態の第３変形例の受信部の構成の一例を表すブロック図である。
【図１０】第１実施形態の第４変形例の送信部の構成の一例を表すブロック図である。
【発明を実施するための形態】
【００１１】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００１２】
＜第１実施形態＞
（構成）
例えば、図１に表されるように、第１実施形態の光通信システム１００は、Ｎ個の光伝送装置１−１，…，１−Ｎを備える。Ｎは、２以上の整数（本例では、３）を表す。また、以下において、光伝送装置１−ｎは、区別する必要がない場合、光伝送装置１とも表される。ｎは、１からＮの各整数を表す。
【００１３】
光通信システム１００は、光伝送装置１間で光信号の送信及び受信を行なうことにより通信を行なう。本例では、光伝送装置１は、波長分割多重方式（ＷＤＭ；Ｗａｖｅｌｅｎｇｔｈ  Ｄｉｖｉｓｉｏｎ  Ｍｕｌｔｉｐｌｅｘｉｎｇ）に従って光信号の送信及び受信を行なう。本例では、光伝送装置１は、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）ノードとして機能する。
【００１４】
本例では、Ｎ個の光伝送装置１−１，…，１−Ｎが形成する通信網は、リング型のネットワークトポロジーを有する。なお、Ｎ個の光伝送装置１−１，…，１−Ｎが形成する通信網は、メッシュ型のネットワークトポロジーを有してもよい。
【００１５】
本例では、光通信システム１００は、時計回り方向の第１伝送路と、反時計回り方向の第２伝送路と、を有する。第１伝送路は、光伝送装置１−１から光伝送装置１−２へ光信号を伝送する伝送路と、光伝送装置１−２から光伝送装置１−３へ光信号を伝送する伝送路と、光伝送装置１−３から光伝送装置１−１へ光信号を伝送する伝送路と、からなる。第２伝送路は、光伝送装置１−１から光伝送装置１−３へ光信号を伝送する伝送路と、光伝送装置１−３から光伝送装置１−２へ光信号を伝送する伝送路と、光伝送装置１−２から光伝送装置１−１へ光信号を伝送する伝送路と、からなる。
【００１６】
本例では、光伝送装置１−ｎは、他の光伝送装置１−ｉ及び１−ｊのそれぞれに、通信ケーブルを介して接続される。本例では、接続は、光学的な接続を表す。ｉ及びｊは、Ｎ以下であり且つｎと異なる自然数のうちの、互いに異なる整数を表す。本例では、通信ケーブルは、光ファイバを含む。
【００１７】
例えば、図２に表されるように、光伝送装置１−ｎは、受信部１０と、送信部２０と、制御部３０と、トランスポンダ部４０と、を備える。
【００１８】
受信部１０は、光伝送装置１−ｎに接続された他の光伝送装置１−ｉ及び１−ｊのそれぞれから光信号を受信する。受信部１０は、受信した複数の光信号の中から選択された光信号をトランスポンダ部４０へ出力する。
【００１９】
例えば、図３に表されるように、受信部１０は、増幅部１１と、切替部１２と、を備える。増幅部１１及び切替部１２は、互いに異なる２つの装置をそれぞれ構成してよい。
増幅部１１は、Ｍ組の要素群１１０−１，…，１１０−Ｍを備える。Ｍは、２以上の整数（本例では、２）を表す。また、以下において、要素群１１０−ｍは、区別する必要がない場合、要素群１１０とも表される。ｍは、１からＭの各整数を表す。Ｍ組の要素群１１０−１，…，１１０−Ｍは、互いに異なるＭ個の装置をそれぞれ構成してよい。
【００２０】
要素群１１０−ｍは、増幅部入力側ポート１１１−ｍと、増幅器１１２−ｍと、増幅部カプラ１１３−ｍと、増幅部フィルタ１１４−ｍと、増幅部光検出器１１５−ｍと、増幅部出力側ポート１１６−ｍと、を備える。フィルタは、ＢＰＦ（Ｂａｎｄ  Ｐａｓｓ  Ｆｉｌｔｅｒ）と表されてもよい。光検出器は、ＰＤ（Ｐｈｏｔｏｄｅｔｅｃｔｏｒ）と表されてもよい。
【００２１】
増幅部カプラ１１３−ｍは、第１カプラの一例である。増幅部フィルタ１１４−ｍは、第１フィルタの一例である。増幅部光検出器１１５−ｍは、第１光検出器の一例である。増幅部出力側ポート１１６−ｍは、第１ポートの一例である。
【００２２】
増幅部入力側ポート１１１−ｍは、一端が、例えば、他の光伝送装置１−ｉ又は１−ｊに接続された通信ケーブルの他端を接続可能に構成される。更に、増幅部入力側ポート１１１−ｍは、後述するように、増幅器１１２−ｍの入力端子に接続される。
【００２３】
増幅器１１２−ｍは、光を入力する入力端子を有するとともに、入力端子が増幅部入力側ポート１１１−ｍに接続される。増幅器１１２−ｍは、入力端子から入力された光を増幅する。本例では、増幅器１１２−ｍは、ＥＤＦＡ（Ｅｒｂｉｕｍ  Ｄｏｐｅｄ  Ｆｉｂｅｒ  Ａｍｐｌｉｆｉｅｒ）である。増幅器１１２−ｍは、増幅した光を出力する出力端子を有するとともに、出力端子が増幅部カプラ１１３−ｍに接続される。
【００２４】
増幅部カプラ１１３−ｍは、増幅器１１２−ｍの出力端子と、増幅部フィルタ１１４−ｍと、増幅部出力側ポート１１６−ｍと、のそれぞれに接続される。増幅部カプラ１１３−ｍは、増幅器１１２−ｍの出力端子から入力された光を増幅部出力側ポート１１６−ｍへ出力する。更に、増幅部カプラ１１３−ｍは、増幅部出力側ポート１１６−ｍから入力された光を２つの光に分岐し、分岐した２つの光の一方を増幅部フィルタ１１４−ｍへ出力する。本例では、増幅部カプラ１１３−ｍは、単方向性のカプラである。
【００２５】
増幅部フィルタ１１４−ｍは、増幅部カプラ１１３−ｍと、増幅部光検出器１１５−ｍと、のそれぞれに接続される。増幅部フィルタ１１４−ｍは、入力された光のうちの第ｍ周波数帯域を有する成分を透過する。本例では、増幅部フィルタ１１４−ｍは、増幅部カプラ１１３−ｍから入力された光のうちの第ｍ周波数帯域を有する成分を増幅部光検出器１１５−ｍへ出力するとともに、当該入力された光のうちの、第ｍ周波数帯域と異なる周波数を有する成分を遮断する。
【００２６】
第１乃至第Ｍ周波数帯域は、互いに異なる。本例では、図４に表されるように、増幅部フィルタ１１４−１を透過する光Ｌ１が有する第１周波数帯域は、増幅部フィルタ１１４−２を透過する光Ｌ２が有する第２周波数帯域よりも低い。自然放射増幅光は、Ａｍｐｌｉｆｉｅｄ  Ｓｐｏｎｔａｎｅｏｕｓ  Ｅｍｉｓｓｉｏｎ（ＡＳＥ）とも表される。
【００２７】
増幅部光検出器１１５−ｍは、増幅部フィルタ１１４−ｍに接続される。増幅部光検出器１１５−ｍは、増幅部フィルタ１１４−ｍから入力された光（換言すると、増幅部フィルタ１１４−ｍを透過した光）の強度を検出する。本例では、増幅部光検出器１１５−ｍは、フォトダイオードを含む。
【００２８】
増幅部出力側ポート１１６−ｍは、増幅部カプラ１１３−ｍに接続される。更に、増幅部出力側ポート１１６−ｍは、一端が、例えば、後述する切替部入力側ポート１２１−ｍに接続された通信ケーブルの他端を接続可能に構成される。増幅部出力側ポート１１６−ｍは、通信ケーブルから入力された光を増幅部カプラ１１３−ｍへ出力するとともに、増幅部カプラ１１３−ｍから入力された光を通信ケーブルへ出力する。
【００２９】
切替部１２は、Ｍ組の要素群１２０−１，…，１２０−Ｍと、切替器１２７と、切替部出力側ポート１２８と、を備える。また、以下において、要素群１２０−ｍは、区別する必要がない場合、要素群１２０とも表される。切替部出力側ポート１２８は、第３ポートの一例である。
【００３０】
要素群１２０−ｍは、切替部入力側ポート１２１−ｍと、切替部入力側カプラ１２２−ｍと、切替部フィルタ１２３−ｍと、反射器１２４−ｍと、切替部出力側カプラ１２５−ｍと、切替部光検出器１２６−ｍと、を備える。反射器は、ＲＥＦ（Ｒｅｆｌｅｃｔｏｒ）と表されてもよい。
【００３１】
切替部入力側ポート１２１−ｍは、第２ポートの一例である。切替部入力側カプラ１２２−ｍは、第２カプラの一例である。切替部フィルタ１２３−ｍは、第２フィルタの一例である。Ｍ個の反射器１２４−１，…，１２４−Ｍは、反射部の一例である。切替部光検出器１２６−ｍは、第２光検出器の一例である。
【００３２】
切替部入力側ポート１２１−ｍは、一端が、例えば、増幅部出力側ポート１１６−ｍに接続された通信ケーブルの他端を接続可能に構成される。更に、切替部入力側ポート１２１−ｍは、切替部入力側カプラ１２２−ｍに接続される。切替部入力側ポート１２１−ｍは、通信ケーブルから入力された光を切替部入力側カプラ１２２−ｍへ出力するとともに、切替部入力側カプラ１２２−ｍから入力された光を通信ケーブルへ出力する。
【００３３】
切替部入力側カプラ１２２−ｍは、切替部入力側ポート１２１−ｍと、切替部フィルタ１２３−ｍと、切替部出力側カプラ１２５−ｍと、のそれぞれに接続される。切替部入力側カプラ１２２−ｍは、切替部入力側ポート１２１−ｍから入力された光を２つの光に分岐し、分岐した２つの光の一方を切替部フィルタ１２３−ｍへ出力するとともに、分岐された２つの光の他方を切替部出力側カプラ１２５−ｍへ出力する。
【００３４】
更に、切替部入力側カプラ１２２−ｍは、切替部出力側カプラ１２５−ｍから入力された光を切替部入力側ポート１２１−ｍへ出力する。加えて、切替部入力側カプラ１２２−ｍは、切替部フィルタ１２３−ｍから入力された光を切替部入力側ポート１２１−ｍへ出力する。本例では、切替部入力側カプラ１２２−ｍは、単方向性のカプラである。
【００３５】
切替部フィルタ１２３−ｍは、切替部入力側カプラ１２２−ｍと、反射器１２４−ｍと、のそれぞれに接続される。切替部フィルタ１２３−ｍは、入力された光のうちの第ｍ周波数帯域を有する成分を透過する。
【００３６】
本例では、切替部フィルタ１２３−ｍは、切替部入力側カプラ１２２−ｍから入力された光のうちの第ｍ周波数帯域を有する成分を反射器１２４−ｍへ出力するとともに、当該入力された光のうちの、第ｍ周波数帯域と異なる周波数を有する成分を遮断する。更に、本例では、切替部フィルタ１２３−ｍは、反射器１２４−ｍから入力された光のうちの第ｍ周波数帯域を有する成分を切替部入力側カプラ１２２−ｍへ出力するとともに、当該入力された光のうちの、第ｍ周波数帯域と異なる周波数を有する成分を遮断する。
【００３７】
このように、切替部フィルタ１２３−ｍが透過する光が有する周波数帯域（換言すると、第ｍ周波数帯域）は、切替部フィルタ１２３−ｍに対応する増幅部フィルタ１１４−ｍが透過する光が有する周波数帯域（換言すると、第ｍ周波数帯域）と一致する。
【００３８】
反射器１２４−ｍは、切替部フィルタ１２３−ｍに接続される。反射器１２４−ｍは、切替部フィルタ１２３−ｍから入力された光を反射し、反射した光を切替部フィルタ１２３−ｍへ出力する。
【００３９】
切替部出力側カプラ１２５−ｍは、切替部入力側カプラ１２２−ｍと、切替部光検出器１２６−ｍと、切替器１２７と、のそれぞれに接続される。切替部出力側カプラ１２５−ｍは、切替部入力側カプラ１２２−ｍから入力された光を２つの光に分岐し、分岐した２つの光の一方を切替部光検出器１２６−ｍへ出力するとともに、分岐された２つの光の他方を切替器１２７へ出力する。更に、切替部出力側カプラ１２５−ｍは、切替器１２７から入力された光を２つの光に分岐し、分岐した２つの光の一方を切替部光検出器１２６−ｍへ出力するとともに、分岐した２つの光の他方を切替部入力側カプラ１２２−ｍへ出力する。本例では、切替部出力側カプラ１２５−ｍは、双方向性のカプラである。
【００４０】
切替部光検出器１２６−ｍは、切替部出力側カプラ１２５−ｍに接続される。切替部光検出器１２６−ｍは、切替部出力側カプラ１２５−ｍから入力された光の強度を検出する。本例では、切替部出力側カプラ１２５−ｍは、フォトダイオードを含む。
【００４１】
切替器１２７は、切替部出力側ポート１２８、及び、Ｍ個の切替部出力側カプラ１２５−１，…，１２５−Ｍのそれぞれに接続される。切替器１２７は、切替部出力側ポート１２８と、Ｍ個の切替部出力側カプラ１２５−１，…，１２５−Ｍのうちの１つと、を接続する。更に、切替器１２７は、切替部出力側ポート１２８に接続される切替部出力側カプラ１２５−ｍをＭ個の切替部出力側カプラ１２５−１，…，１２５−Ｍの中で切り替える。
【００４２】
切替器１２７は、切替部出力側ポート１２８と、切替部出力側カプラ１２５−ｍと、を接続している場合、切替部出力側ポート１２８から入力された光を切替部出力側カプラ１２５−ｍへ出力する。更に、この場合、切替器１２７は、切替部出力側カプラ１２５−ｍから入力された光を切替部出力側ポート１２８へ出力する。
【００４３】
切替部出力側ポート１２８は、切替器１２７に接続される。更に、切替部出力側ポート１２８は、一端が、例えば、トランスポンダ部４０に接続された通信ケーブルの他端を接続可能に構成される。切替部出力側ポート１２８は、通信ケーブルから入力された光を切替器１２７へ出力するとともに、切替器１２７から入力された光を通信ケーブルへ出力する。
【００４４】
送信部２０には、トランスポンダ部４０から光信号が入力される。送信部２０は、トランスポンダ部４０から入力された光信号を、光伝送装置１−ｎに接続された他の光伝送装置１−ｉ及び１−ｊの中から選択された光伝送装置１へ送信する。
【００４５】
制御部３０は、記憶部３１と、処理部３２と、を備える。
記憶部３１は、光の強度と、Ｍ個の増幅部出力側ポート１１６−１，…，１１６−ＭとＭ個の切替部入力側ポート１２１−１，…，１２１−Ｍとの接続の正誤と、の関係（換言すると、強度接続関係）を予め記憶する。
【００４６】
本例では、図５に表されるように、強度接続関係は、４個の光検出器１１５−１，１２６−１，１１５−２，１２６−２のそれぞれに対する光の強度と、３個のポート１２１−１，１２１−２，１２８のそれぞれに対する接続の正誤と、の関係を含む。なお、２個の切替部入力側ポート１２１−１，１２１−２のそれぞれに対する接続の正誤は、２個の増幅部出力側ポート１１６−１，１１６−２のそれぞれに対する接続の正誤であると捉えられてもよい。
【００４７】
図５において、「Ｐ＃１−１」、「Ｐ＃１−２」、及び、「Ｐ＃２」は、切替部入力側ポート１２１−１、切替部入力側ポート１２１−２、及び、切替部出力側ポート１２８をそれぞれ表す。更に、「ＰＤ＃１−１」、「ＰＤ＃２−１」、「ＰＤ＃１−２」、及び、「ＰＤ＃２−２」は、増幅部光検出器１１５−１、切替部光検出器１２６−１、増幅部光検出器１１５−２、及び、切替部光検出器１２６−２をそれぞれ表す。
【００４８】
加えて、「Ｃ＃１−１」、「Ｃ＃１−２」、及び、「Ｃ＃２」は、増幅部出力側ポート１１６−１、増幅部出力側ポート１１６−２、及び、トランスポンダ部４０が備えるポートをそれぞれ表す。
【００４９】
更に、「有」、及び、「無」は、光の強度が所定の閾値よりも大きいこと、及び、光の強度が当該閾値以下であることをそれぞれ表す。本例では、更に、「有」、及び、「無」は、切替部出力側ポート１２８に接続される切替部出力側カプラ１２５−ｍを切り替えた場合に、光の強度が変化しないことを表す。
【００５０】
加えて、「有無変化」は、切替器１２７が、切替部出力側ポート１２８に接続される切替部出力側カプラ１２５−ｍを切り替えた場合に、光の強度が、上記閾値よりも大きい状態と上記閾値以下である状態との間で変化することを表す。
【００５１】
更に、「強度変化」は、光の強度が上記閾値よりも大きく、且つ、切替器１２７が、切替部出力側ポート１２８に接続される切替部出力側カプラ１２５−ｍを切り替えた場合に、光の強度が変化することを表す。
【００５２】
例えば、強度接続関係において、「ＰＤ＃１−１」、「ＰＤ＃２−１」、「ＰＤ＃１−２」、及び、「ＰＤ＃２−２」に対する光の強度が、すべて「有」である場合について説明を加える。換言すると、この場合は、４個の光検出器１１５−１，１２６−１，１１５−２，１２６−２のそれぞれに対する光の強度が、上記閾値よりも大きい場合である。
【００５３】
この場合、強度接続関係は、「Ｐ＃１−１」、「Ｐ＃１−２」、及び、「Ｐ＃２」に、「Ｃ＃１−１」、「Ｃ＃１−２」、及び、「Ｃ＃２」がそれぞれ接続されていることを表す。換言すると、この場合、強度接続関係は、３個のポート１２１−１，１２１−２，１２８に、増幅部出力側ポート１１６−１、増幅部出力側ポート１１６−２、及び、トランスポンダ部４０が備えるポートがそれぞれ接続されていることを表す。従って、この場合、３個のポート１２１−１，１２１−２，１２８に対する接続は、それぞれ正しい。
【００５４】
次に、例えば、強度接続関係において、「ＰＤ＃１−１」、「ＰＤ＃２−１」、「ＰＤ＃１−２」、及び、「ＰＤ＃２−２」に対する光の強度が、それぞれ、「強度変化」、「強度変化」、「無」、及び、「有無変化」である場合について説明を加える。換言すると、この場合は、光検出器１１５−１，１２６−１のそれぞれに対する光の強度が、上記閾値よりも大きく、且つ、上記切り替えの前後において変化する場合である。更に、この場合は、光検出器１１５−２に対する光の強度が上記閾値以下であり、且つ、光検出器１２６−２に対する光の強度が、上記切り替えの前後において上記閾値よりも大きい状態と上記閾値以下である状態との間で変化する場合である。
【００５５】
この場合、強度接続関係は、「Ｐ＃１−１」、「Ｐ＃１−２」、及び、「Ｐ＃２」に、「Ｃ＃１−１」、「Ｃ＃２」、及び、「Ｃ＃１−２」がそれぞれ接続されていることを表す。換言すると、この場合、強度接続関係は、３個のポート１２１−１，１２１−２，１２８に、増幅部出力側ポート１１６−１、トランスポンダ部４０が備えるポート、及び、増幅部出力側ポート１１６−２がそれぞれ接続されていることを表す。従って、この場合、１個のポート１２１−１に対する接続は、正しく、且つ、２個のポート１２１−２，１２８に対する接続は、それぞれ誤っている。
【００５６】
次に、例えば、強度接続関係において、「ＰＤ＃１−１」、「ＰＤ＃２−１」、「ＰＤ＃１−２」、及び、「ＰＤ＃２−２」に対する光の強度が、それぞれ、「有無変化」、「強度変化」、「有無変化」、及び、「有無変化」である場合について説明を加える。換言すると、光検出器１１５−１，１１５−２，１２６−２のそれぞれに対する光の強度が上記切り替えの前後において上記閾値よりも大きい状態と上記閾値以下である状態との間で変化する場合である。更に、この場合は、光検出器１２６−１に対する光の強度が、上記閾値よりも大きく、且つ、上記切り替えの前後において変化する場合である。
【００５７】
この場合、強度接続関係は、「Ｐ＃１−１」、「Ｐ＃１−２」、及び、「Ｐ＃２」に、「Ｃ＃１−２」、「Ｃ＃２」、及び、「Ｃ＃１−１」がそれぞれ接続されていることを表す。換言すると、この場合、強度接続関係は、３個のポート１２１−１，１２１−２，１２８に、増幅部出力側ポート１１６−２、トランスポンダ部４０が備えるポート、及び、増幅部出力側ポート１１６−１がそれぞれ接続されていることを表す。従って、この場合、３個のポート１２１−１，１２１−２，１２８に対する接続は、それぞれ誤っている。
なお、他の場合についても同様に説明される。
【００５８】
処理部３２は、４個の光検出器１１５−１，１１５−２，１２６−１，１２６−２のそれぞれにより検出された強度と、記憶部３１に記憶された強度接続関係と、に基づいて３個のポート１２１−１，１２１−２，１２８のそれぞれに対する接続の正誤を判定する。
【００５９】
本例では、処理部３２は、切替部出力側ポート１２８に接続される切替部出力側カプラ１２５−ｍが切り替わるように切替器１２７を制御する。処理部３２は、切り替えの前の時点、及び、切り替えの後の時点のそれぞれにて、４個の光検出器１１５−１，１１５−２，１２６−１，１２６−２のそれぞれにより検出された強度を取得する。
【００６０】
処理部３２は、取得された強度のそれぞれが上記閾値よりも大きいか否かを判定し、当該判定の結果と、記憶部３１に記憶された強度接続関係と、に基づいて３個のポート１２１−１，１２１−２，１２８のそれぞれに対する接続の正誤を判定する。
【００６１】
なお、増幅部光検出器１１５−ｍに対する閾値は、切替部光検出器１２６−ｍに対する閾値と異なっていてもよい。
【００６２】
トランスポンダ部４０は、受信部１０から入力された光信号を電気信号に変換する。更に、トランスポンダ部４０は、電気信号を光信号に変換し、変換後の光信号を送信部２０へ出力する。
【００６３】
（動作）
次に、光伝送装置１−ｎの動作の一例を説明する。
本例では、光通信システム１００は、光伝送装置１間の光信号の送信及び受信が行なわれない期間（換言すると、トランスポンダ部４０から光信号が出力されない期間）に、各光伝送装置１におけるポート間の接続の正誤を判定する。例えば、光伝送装置１間の光信号の送信及び受信が行なわれない期間は、光伝送装置１間の光信号の送信及び受信が開始する前の期間であってよい。
【００６４】
（（各ポートの接続が正しい場合））
切替部入力側ポート１２１−１、切替部入力側ポート１２１−２、及び、切替部出力側ポート１２８に、増幅部出力側ポート１１６−１、増幅部出力側ポート１１６−２、及び、トランスポンダ部４０が備えるポートがそれぞれ接続されている場合を説明する。換言すると、切替部入力側ポート１２１−１、切替部入力側ポート１２１−２、及び、切替部出力側ポート１２８に対する接続がそれぞれ正しい場合を説明する。
【００６５】
光伝送装置１−ｎは、切替部出力側カプラ１２５−１と切替部出力側ポート１２８とを接続するように切替器１２７を制御する。
【００６６】
この場合、増幅器１１２−１から出力された自然放射増幅光は、増幅部カプラ１１３−１、増幅部出力側ポート１１６−１、切替部入力側ポート１２１−１、及び、切替部入力側カプラ１２２−１を順に通過した後に切替部フィルタ１２３−１に到達する。切替部フィルタ１２３−１に到達した光のうちの、第１周波数帯域を有する成分は、切替部フィルタ１２３−１を通過した後に反射器１２４−１により反射される。
【００６７】
更に、反射された光は、切替部フィルタ１２３−１、切替部入力側カプラ１２２−１、切替部入力側ポート１２１−１、増幅部出力側ポート１１６−１、及び、増幅部カプラ１１３−１を順に通過した後に増幅部フィルタ１１４−１に到達する。反射された光の周波数帯域は、第１周波数帯域と一致する。このため、増幅部フィルタ１１４−１に到達した光は、増幅部フィルタ１１４−１を通過した後に増幅部光検出器１１５−１に到達する。従って、この場合、増幅部光検出器１１５−１により検出される光の強度は、上記閾値よりも大きい。
【００６８】
また、上記自然放射増幅光は、増幅部カプラ１１３−１、増幅部出力側ポート１１６−１、切替部入力側ポート１２１−１、切替部入力側カプラ１２２−１、及び、切替部出力側カプラ１２５−１を順に通過した後に切替部光検出器１２６−１にも到達する。従って、この場合、切替部光検出器１２６−１により検出される光の強度は、上記閾値よりも大きい。
【００６９】
同様に、増幅器１１２−２から出力された自然放射増幅光は、反射器１２４−２により反射され、反射された光が増幅部光検出器１１５−２に到達する。また、上記自然放射増幅光は、切替部光検出器１２６−２にも到達する。従って、光検出器１１５−２，１２６−２のそれぞれにより検出される光の強度は、上記閾値よりも大きい。
【００７０】
光伝送装置１−ｎは、４個の光検出器１１５−１，１１５−２，１２６−１，１２６−２により検出された光の強度を取得する。この場合、上述したように、光伝送装置１−ｎは、４個の光検出器１１５−１，１１５−２，１２６−１，１２６−２のそれぞれに対して、上記閾値よりも大きい強度を取得する。
【００７１】
次に、光伝送装置１−ｎは、切替部出力側カプラ１２５−２と切替部出力側ポート１２８とを接続するように切替器１２７を制御する。換言すると、光伝送装置１−ｎは、切替部出力側ポート１２８に接続される切替部出力側カプラ１２５−ｍが、切替部出力側カプラ１２５−１から切替部出力側カプラ１２５−２に切り替わるように切替器１２７を制御する。
【００７２】
この場合、上記切り替えの前と同様に、光が導かれる。そして、光伝送装置１−ｎは、４個の光検出器１１５−１，１１５−２，１２６−１，１２６−２により検出された光の強度を取得する。この場合、上記切り替えの前と同様に、光伝送装置１−ｎは、４個の光検出器１１５−１，１１５−２，１２６−１，１２６−２のそれぞれに対して、上記閾値よりも大きい強度を取得する。
【００７３】
そして、光伝送装置１−ｎは、切り替えの前の時点、及び、切り替えの後の時点のそれぞれにて検出された強度と、記憶部３１に記憶された強度接続関係と、に基づいて、ポート間の接続の正誤を判定する。この場合、光伝送装置１−ｎは、３個のポート１２１−１，１２１−２，１２８に対する接続が、それぞれ正しい、と判定する。
【００７４】
（（１つのポートの接続のみが正しい場合））
切替部入力側ポート１２１−１、切替部入力側ポート１２１−２、及び、切替部出力側ポート１２８に、増幅部出力側ポート１１６−１、トランスポンダ部４０が備えるポート、及び、増幅部出力側ポート１１６−２がそれぞれ接続されている場合を説明する。換言すると、切替部入力側ポート１２１−１に対する接続が正しく、且つ、切替部入力側ポート１２１−２、及び、切替部出力側ポート１２８に対する接続がそれぞれ誤っている場合を説明する。
【００７５】
光伝送装置１−ｎは、切替部出力側カプラ１２５−１と切替部出力側ポート１２８とを接続するように切替器１２７を制御する。
【００７６】
この場合、増幅器１１２−１から出力された自然放射増幅光は、上述した場合と同様に、光検出器１１５−１，１２６−１のそれぞれに到達する。
更に、上記自然放射増幅光のうちの切替部出力側カプラ１２５−１に到達した光は、切替器１２７、切替部出力側ポート１２８、増幅部出力側ポート１１６−２、及び、増幅部カプラ１１３−２を順に通過した後に増幅部フィルタ１１４−２に到達する。
【００７７】
増幅部フィルタ１１４−２に到達した光のうちの、第２周波数帯域を有する成分は、増幅部フィルタ１１４−２を通過した後に増幅部光検出器１１５−２に到達する。
一方、増幅器１１２−１から出力された自然放射増幅光は、切替部光検出器１２６−２に到達しない。
【００７８】
更に、この場合、増幅器１１２−２から出力された自然放射増幅光は、増幅部カプラ１１３−２、増幅部出力側ポート１１６−２、切替部出力側ポート１２８、及び、切替器１２７を順に通過した後に切替部出力側カプラ１２５−１に到達する。
【００７９】
更に、切替部出力側カプラ１２５−１に到達した光は、切替部光検出器１２６−１に到達する。
加えて、切替部出力側カプラ１２５−１に到達した光は、切替部入力側カプラ１２２−１、切替部入力側ポート１２１−１、増幅部出力側ポート１１６−１、及び、増幅部カプラ１１３−１を順に通過した後に増幅部フィルタ１１４−１に到達する。増幅部フィルタ１１４−１に到達した光のうちの、第１周波数帯域を有する成分は、増幅部フィルタ１１４−１を通過した後に増幅部光検出器１１５−１に到達する。
一方、増幅器１１２−２から出力された自然放射増幅光は、光検出器１１５−２，１２６−２に到達しない。
【００８０】
従って、この場合、光検出器１１５−１，１２６−１により検出される光の強度は、上記閾値よりも大きく、且つ、２つの増幅器１１２−１，１１２−２の一方から出力された光のみが光検出器１１５−１，１２６−１に到達する場合よりもそれぞれ大きい。本例では、光検出器１１５−１，１２６−１により検出される光の強度は、上記閾値を２倍した値よりも大きい。
【００８１】
更に、この場合、光検出器１１５−２により検出される光の強度は、上記閾値よりも大きい。本例では、光検出器１１５−２により検出される光の強度は、上記閾値よりも大きく、且つ、上記閾値を２倍した値以下である。
加えて、この場合、光検出器１２６−２により検出される光の強度は、上記閾値以下である。
【００８２】
このようにして、光伝送装置１−ｎは、２個の光検出器１１５−１，１２６−１のそれぞれに対して、上記閾値を２倍した値よりも大きい強度を取得する。更に、光伝送装置１−ｎは、光検出器１１５−２に対して、上記閾値よりも大きく且つ上記閾値を２倍した値以下である強度を取得する。加えて、光伝送装置１−ｎは、光検出器１２６−２に対して、上記閾値以下である強度を取得する。
【００８３】
次に、光伝送装置１−ｎは、切替部出力側カプラ１２５−２と切替部出力側ポート１２８とを接続するように切替器１２７を制御する。換言すると、光伝送装置１−ｎは、切替部出力側ポート１２８に接続される切替部出力側カプラ１２５−ｍが、切替部出力側カプラ１２５−１から切替部出力側カプラ１２５−２に切り替わるように切替器１２７を制御する。
【００８４】
この場合、増幅器１１２−１から出力された自然放射増幅光は、上記切り替えの前と同様に、光検出器１１５−１，１２６−１のそれぞれに到達する。
一方、増幅器１１２−１から出力された自然放射増幅光は、光検出器１１５−２，１２６−２に到達しない。
【００８５】
この場合、増幅器１１２−２から出力された自然放射増幅光は、増幅部カプラ１１３−２、増幅部出力側ポート１１６−２、切替部出力側ポート１２８、及び、切替器１２７を順に通過した後に切替部出力側カプラ１２５−２に到達する。切替部出力側カプラ１２５−２に到達した光は、切替部光検出器１２６−２に到達する。
一方、増幅器１１２−２から出力された自然放射増幅光は、光検出器１１５−２に到達しない。
【００８６】
従って、この場合、光検出器１１５−１，１２６−１により検出される光の強度は、上記閾値よりも大きい。本例では、光検出器１１５−１，１２６−１のそれぞれにより検出される光の強度は、上記閾値を２倍した値以下である。
【００８７】
加えて、この場合、光検出器１１５−２により検出される光の強度は、上記閾値以下である。
更に、この場合、光検出器１２６−２により検出される光の強度は、上記閾値よりも大きい。本例では、光検出器１２６−２により検出される光の強度は、上記閾値を２倍した値以下である。
【００８８】
このようにして、光伝送装置１−ｎは、２個の光検出器１１５−１，１２６−１のそれぞれに対して、上記閾値よりも大きく且つ上記閾値を２倍した値以下である強度を取得する。更に、光伝送装置１−ｎは、光検出器１１５−２に対して、上記閾値以下である強度を取得する。加えて、光伝送装置１−ｎは、光検出器１２６−２に対して、上記閾値よりも大きく且つ上記閾値を２倍した値以下である強度を取得する。
【００８９】
そして、光伝送装置１−ｎは、切り替えの前の時点、及び、切り替えの後の時点のそれぞれにて検出された強度と、記憶部３１に記憶された強度接続関係と、に基づいて、ポート間の接続の正誤を判定する。この場合、光伝送装置１−ｎは、１個のポート１２１−１に対する接続は、正しく、且つ、２個のポート１２１−２，１２８に対する接続は、それぞれ誤っている、と判定する。
【００９０】
（（各ポートの接続が誤っている場合））
切替部入力側ポート１２１−１、切替部入力側ポート１２１−２、及び、切替部出力側ポート１２８に、増幅部出力側ポート１１６−２、トランスポンダ部４０が備えるポート、及び、増幅部出力側ポート１１６−１がそれぞれ接続されている場合を説明する。換言すると、切替部入力側ポート１２１−１、切替部入力側ポート１２１−２、及び、切替部出力側ポート１２８に対する接続がそれぞれ誤っている場合を説明する。
【００９１】
光伝送装置１−ｎは、切替部出力側カプラ１２５−１と切替部出力側ポート１２８とを接続するように切替器１２７を制御する。
【００９２】
この場合、増幅器１１２−１から出力された自然放射増幅光は、増幅部カプラ１１３−１、増幅部出力側ポート１１６−１、切替部出力側ポート１２８、及び、切替器１２７を順に通過した後に切替部出力側カプラ１２５−１に到達する。
【００９３】
切替部出力側カプラ１２５−１に到達した光は、切替部光検出器１２６−１に到達する。
更に、切替部出力側カプラ１２５−１に到達した光は、切替部入力側カプラ１２２−１、切替部入力側ポート１２１−１、増幅部出力側ポート１１６−２、及び、増幅部カプラ１１３−２を順に通過した後に増幅部フィルタ１１４−２に到達する。
【００９４】
増幅部フィルタ１１４−２に到達した光のうちの、第２周波数帯域を有する成分は、増幅部フィルタ１１４−２を通過した後に増幅部光検出器１１５−２に到達する。
一方、増幅器１１２−１から出力された自然放射増幅光は、光検出器１１５−１，１２６−２のそれぞれに到達しない。
【００９５】
更に、この場合、増幅器１１２−２から出力された自然放射増幅光は、増幅部カプラ１１３−２、増幅部出力側ポート１１６−２、切替部入力側ポート１２１−１、及び、切替部入力側カプラ１２２−１を順に通過した後に切替部フィルタ１２３−１に到達する。
【００９６】
切替部フィルタ１２３−１に到達した光のうちの、第１周波数帯域を有する成分は、切替部フィルタ１２３−１を通過した後に反射器１２４−１により反射される。更に、反射された光は、切替部フィルタ１２３−１、切替部入力側カプラ１２２−１、切替部入力側ポート１２１−１、増幅部出力側ポート１１６−２、及び、増幅部カプラ１１３−２を順に通過した後に増幅部フィルタ１１４−２に到達する。
【００９７】
増幅部フィルタ１１４−２に到達した光の周波数帯域は、第１周波数帯域と一致するため、第２周波数帯域と異なる。このため、増幅部フィルタ１１４−２に到達した光は、増幅部フィルタ１１４−２により遮断される。従って、増幅器１１２−２から出力された光は、増幅部光検出器１１５−２に到達しない。
【００９８】
また、切替部入力側カプラ１２２−１に到達した光は、切替部出力側カプラ１２５−１を通過した後に切替部光検出器１２６−１に到達する。
更に、切替部出力側カプラ１２５−１に到達した光は、切替器１２７、切替部出力側ポート１２８、増幅部出力側ポート１１６−１、及び、増幅部カプラ１１３−１を順に通過した後に増幅部フィルタ１１４−１に到達する。増幅部フィルタ１１４−１に到達した光のうちの、第１周波数帯域を有する成分は、増幅部フィルタ１１４−１を通過した後に増幅部光検出器１１５−１に到達する。
一方、増幅器１１２−２から出力された光は、切替部光検出器１２６−２に到達しない。
【００９９】
従って、この場合、光検出器１１５−１，１１５−２により検出される光の強度は、上記閾値よりも大きい。本例では、光検出器１１５−１，１１５−２により検出される光の強度は、上記閾値を２倍した値以下である。
【０１００】
更に、この場合、光検出器１２６−１により検出される光の強度は、上記閾値よりも大きく、且つ、２つの増幅器１１２−１，１１２−２の一方から出力された光のみが光検出器１２６−１に到達する場合よりも大きい。本例では、光検出器１２６−１により検出される光の強度は、上記閾値を２倍した値よりも大きい。
【０１０１】
加えて、この場合、光検出器１２６−２により検出される光の強度は、上記閾値以下である。
【０１０２】
このようにして、光伝送装置１−ｎは、２個の光検出器１１５−１，１１５−２のそれぞれに対して、上記閾値よりも大きく且つ上記閾値を２倍した値以下である強度を取得する。更に、光伝送装置１−ｎは、光検出器１２６−１に対して、上記閾値を２倍した値よりも大きい強度を取得する。加えて、光伝送装置１−ｎは、光検出器１２６−２に対して、上記閾値以下である強度を取得する。
【０１０３】
次に、光伝送装置１−ｎは、切替部出力側カプラ１２５−２と切替部出力側ポート１２８とを接続するように切替器１２７を制御する。換言すると、光伝送装置１−ｎは、切替部出力側ポート１２８に接続される切替部出力側カプラ１２５−ｍが、切替部出力側カプラ１２５−１から切替部出力側カプラ１２５−２に切り替わるように切替器１２７を制御する。
【０１０４】
この場合、増幅器１１２−１から出力された自然放射増幅光は、増幅部カプラ１１３−１、増幅部出力側ポート１１６−１、切替部出力側ポート１２８、及び、切替器１２７を順に通過した後に切替部出力側カプラ１２５−２に到達する。切替部出力側カプラ１２５−２に到達した光は、切替部光検出器１２６−２に到達する。
一方、増幅器１１２−１から出力された光は、光検出器１１５−１，１１５−２，１２６−１のそれぞれに到達しない。
【０１０５】
更に、この場合、増幅器１１２−２から出力された自然放射増幅光は、増幅部カプラ１１３−２、増幅部出力側ポート１１６−２、切替部入力側ポート１２１−１、及び、切替部入力側カプラ１２２−１を順に通過した後に切替部出力側カプラ１２５−１に到達する。切替部出力側カプラ１２５−１に到達した光は、切替部光検出器１２６−１に到達する。
一方、増幅器１１２−２から出力された光は、光検出器１１５−１，１１５−２，１２６−２のそれぞれに到達しない。
【０１０６】
従って、この場合、光検出器１２６−１，１２６−２により検出される光の強度は、上記閾値よりも大きい。本例では、光検出器１２６−１，１２６−２のそれぞれにより検出される光の強度は、上記閾値を２倍した値以下である。
【０１０７】
加えて、この場合、光検出器１１５−１，１１５−２のそれぞれにより検出される光の強度は、上記閾値以下である。
【０１０８】
このようにして、光伝送装置１−ｎは、２個の光検出器１２６−１，１２６−２のそれぞれに対して、上記閾値よりも大きく且つ上記閾値を２倍した値以下である強度を取得する。更に、光伝送装置１−ｎは、２個の光検出器１１５−１，１１５−２のそれぞれに対して、上記閾値以下である強度を取得する。
【０１０９】
そして、光伝送装置１−ｎは、切り替えの前の時点、及び、切り替えの後の時点のそれぞれにて検出された強度と、記憶部３１に記憶された強度接続関係と、に基づいて、ポート間の接続の正誤を判定する。この場合、光伝送装置１−ｎは、３個のポート１２１−１，１２１−２，１２８に対する接続は、それぞれ誤っている、と判定する。
なお、３個のポート１２１−１，１２１−２，１２８に対する接続が、上述した場合と異なる場合についても、上述した場合と同様に説明される。
【０１１０】
以上、説明したように、光伝送装置１によれば、増幅部光検出器１１５−１，１１５−２により検出された光の強度に基づいて、切替部入力側ポート１２１−１，１２１−２と、増幅部出力側ポート１１６−１，１１６−２と、の間の接続の正誤を検出できる。
【０１１１】
なお、光伝送装置１は、切替部光検出器１２６−１，１２６−２を備えなくてもよい。また、光伝送装置１は、切替部出力側ポート１２８に対する接続の正誤を判定しなくてもよい。
【０１１２】
各フィルタ１１４−ｍ，１２３−ｍは、透過する光の周波数帯域を変更可能な波長可変フィルタであってもよい。この場合、光伝送装置１の製造コストを低減できる。また、正しい接続として関連付けられるポートの組み合わせを容易に変更できる。
また、ポート間の接続の正誤を検出する技術は、送信部２０に適用されてもよい。
【０１１３】
なお、光伝送装置１は、Ｍ組の要素群１１０−１，…，１１０−Ｍ及び要素群１２０−１，…，１２０−Ｍのうちの一部の組のみが、ポート間の接続の正誤を検出する構成を備えていてもよい。例えば、上記構成は、増幅部カプラ１１３−ｍ、増幅部フィルタ１１４−ｍ、増幅部光検出器１１５−ｍ、切替部入力側カプラ１２２−ｍ、切替部フィルタ１２３−ｍ、反射器１２４−ｍ、切替部出力側カプラ１２５−ｍ、及び、切替部光検出器１２６−ｍである。
【０１１４】
＜第１実施形態の第１変形例＞
次に、第１実施形態の第１変形例の光伝送装置について説明する。第１実施形態の第１変形例の光伝送装置は、第１実施形態の光伝送装置に対して、反射器の数が１つである点において相違している。以下、相違点を中心として説明する。なお、第１実施形態の第１変形例の説明において、第１実施形態にて使用した符号と同じ符号を付したものは、同一又はほぼ同様のものである。
【０１１５】
例えば、図６に表されるように、第１実施形態の第１変形例の受信部１０は、第１実施形態の受信部１０が備える切替部１２に代えて、切替部１２Ａを備える。
切替部１２Ａは、第１実施形態の切替部１２が備える反射器１２４−１，…，１２４−Ｍに代えて、反射器１２４Ａ及び反射部カプラ１２９Ａを備える。反射器１２４Ａ及び反射部カプラ１２９Ａは、反射部の一例である。反射部カプラ１２９Ａは、第３カプラの一例である。
【０１１６】
反射部カプラ１２９Ａは、反射器１２４Ａと、Ｍ個の切替部フィルタ１２３−１，…，１２３−Ｍと、のそれぞれに接続される。反射部カプラ１２９Ａは、Ｍ個の切替部フィルタ１２３−１，…，１２３−Ｍから入力されたＭ個の光を合波し、合波した光を反射器１２４Ａへ出力する。反射部カプラ１２９Ａは、反射器１２４Ａから入力された光をＭ個の光に分岐し、分岐したＭ個の光をＭ個の切替部フィルタ１２３−１，…，１２３−Ｍへそれぞれ出力する。
【０１１７】
反射器１２４Ａは、反射部カプラ１２９Ａから入力された光を反射し、反射した光を反射部カプラ１２９Ａへ出力する。
【０１１８】
第１実施形態の第１変形例の光伝送装置１によっても、第１実施形態の光伝送装置１と同様の作用及び効果が奏される。
更に、第１実施形態の第１変形例の光伝送装置１によれば、反射器の数を低減できる。この結果、光伝送装置１の製造コストを低減できる。
【０１１９】
＜第１実施形態の第２変形例＞
次に、第１実施形態の第２変形例の光伝送装置について説明する。第１実施形態の第２変形例の光伝送装置は、第１実施形態の第１変形例の光伝送装置に対して、切替器と切替部出力側ポートとの間に光検出器を備える点において相違している。以下、相違点を中心として説明する。なお、第１実施形態の第２変形例の説明において、第１実施形態の第１変形例にて使用した符号と同じ符号を付したものは、同一又はほぼ同様のものである。
【０１２０】
例えば、図７に表されるように、第１実施形態の第２変形例の受信部１０は、第１実施形態の第１変形例の受信部１０が備える切替部１２Ａに代えて、切替部１２Ｂを備える。
切替部１２Ｂは、第１実施形態の第１変形例の切替部１２Ａが有する構成に加えて、切替器ポート間カプラ１３１Ｂ及び切替器ポート間光検出器１３２Ｂを備える。切替器ポート間光検出器１３２Ｂは、第３光検出器の一例である。
【０１２１】
切替器ポート間カプラ１３１Ｂは、切替器１２７と、切替部出力側ポート１２８と、のそれぞれに接続される。切替器ポート間カプラ１３１Ｂは、切替器１２７から入力された光を２つの光に分岐し、分岐した２つの光の一方を切替器ポート間光検出器１３２Ｂへ出力するとともに、分岐した２つの光の他方を切替部出力側ポート１２８へ出力する。更に、切替器ポート間カプラ１３１Ｂは、切替部出力側ポート１２８から入力された光を２つの光に分岐し、分岐した２つの光の一方を切替器ポート間光検出器１３２Ｂへ出力するとともに、分岐した２つの光の他方を切替器１２７へ出力する。本例では、切替器ポート間カプラ１３１Ｂは、双方向性のカプラである。
【０１２２】
切替器ポート間光検出器１３２Ｂは、切替器ポート間カプラ１３１Ｂから入力された光の強度を検出する。本例では、切替器ポート間光検出器１３２Ｂは、フォトダイオードを含む。
【０１２３】
第１実施形態の第２変形例の記憶部３１が記憶する強度接続関係は、図８に表されるように、５個の光検出器１１５−１，１２６−１，１１５−２，１２６−２，１３２Ｂのそれぞれに対する光の強度と、ポート間の接続の正誤と、の関係を含む。図８において、「ＰＤ＃３」は、切替器ポート間光検出器１３２Ｂを表す。
【０１２４】
本例では、処理部３２は、５個の光検出器１１５−１，１１５−２，１２６−１，１２６−２，１３２Ｂのそれぞれにより検出された強度と、強度接続関係と、に基づいて３個のポート１２１−１，１２１−２，１２８のそれぞれに対する接続の正誤を判定する。
【０１２５】
第１実施形態の第２変形例の光伝送装置１の動作のうちの、切替器ポート間光検出器１３２Ｂによる強度の検出について説明を加える。
【０１２６】
（（各ポートの接続が正しい場合））
切替部入力側ポート１２１−１、切替部入力側ポート１２１−２、及び、切替部出力側ポート１２８に、増幅部出力側ポート１１６−１、増幅部出力側ポート１１６−２、及び、トランスポンダ部４０が備えるポートがそれぞれ接続されている場合を説明する。
【０１２７】
光伝送装置１−ｎは、切替部出力側カプラ１２５−１と切替部出力側ポート１２８とを接続するように切替器１２７を制御する。
【０１２８】
この場合、増幅器１１２−１から出力された自然放射増幅光は、増幅部カプラ１１３−１、増幅部出力側ポート１１６−１、切替部入力側ポート１２１−１、及び、切替部入力側カプラ１２２−１を順に通過した後に切替部出力側カプラ１２５−１に到達する。切替部出力側カプラ１２５−１に到達した光は、切替器１２７、及び、切替器ポート間カプラ１３１Ｂを順に通過した後に切替器ポート間光検出器１３２Ｂに到達する。
【０１２９】
一方、増幅器１１２−２から出力された自然放射増幅光は、切替器ポート間光検出器１３２Ｂに到達しない。従って、この場合、切替器ポート間光検出器１３２Ｂにより検出される光の強度は、上記閾値よりも大きい。本例では、切替器ポート間光検出器１３２Ｂにより検出される光の強度は、上記閾値よりも大きく、且つ、上記閾値を２倍した値以下である。
【０１３０】
次に、光伝送装置１−ｎは、切替部出力側カプラ１２５−２と切替部出力側ポート１２８とを接続するように切替器１２７を制御する。換言すると、光伝送装置１−ｎは、切替部出力側ポート１２８に接続される切替部出力側カプラ１２５−ｍが、切替部出力側カプラ１２５−１から切替部出力側カプラ１２５−２に切り替わるように切替器１２７を制御する。
【０１３１】
この場合、増幅器１１２−１から出力された自然放射増幅光は、切替器ポート間光検出器１３２Ｂに到達しない。
一方、増幅器１１２−２から出力された自然放射増幅光は、増幅部カプラ１１３−２、増幅部出力側ポート１１６−２、切替部入力側ポート１２１−２、及び、切替部入力側カプラ１２２−２を順に通過した後に切替部出力側カプラ１２５−２に到達する。切替部出力側カプラ１２５−２に到達した光は、切替器１２７、及び、切替器ポート間カプラ１３１Ｂを順に通過した後に切替器ポート間光検出器１３２Ｂに到達する。従って、この場合、切替器ポート間光検出器１３２Ｂにより検出される光の強度は、上記閾値よりも大きい。本例では、切替器ポート間光検出器１３２Ｂにより検出される光の強度は、上記閾値よりも大きく、且つ、上記閾値を２倍した値以下である。
【０１３２】
このように、切替器ポート間光検出器１３２Ｂにより検出される光の強度は、上記閾値よりも大きく、且つ、上記切り替えの前後において変化しない。
【０１３３】
（（１つのポートの接続のみが正しい場合））
切替部入力側ポート１２１−１、切替部入力側ポート１２１−２、及び、切替部出力側ポート１２８に、増幅部出力側ポート１１６−１、トランスポンダ部４０が備えるポート、及び、増幅部出力側ポート１１６−２がそれぞれ接続されている場合を説明する。
【０１３４】
光伝送装置１−ｎは、切替部出力側カプラ１２５−１と切替部出力側ポート１２８とを接続するように切替器１２７を制御する。
【０１３５】
この場合、増幅器１１２−１から出力された自然放射増幅光は、上述した場合と同様に導かれるので、切替器ポート間光検出器１３２Ｂに到達する。
一方、増幅器１１２−２から出力された自然放射増幅光は、増幅部カプラ１１３−２、増幅部出力側ポート１１６−２、切替部出力側ポート１２８、及び、切替器ポート間カプラ１３１Ｂを順に通過した後に切替器ポート間光検出器１３２Ｂに到達する。
【０１３６】
従って、この場合、切替器ポート間光検出器１３２Ｂにより検出される光の強度は、２つの増幅器１１２−１，１１２−２の一方から出力された光のみが切替器ポート間光検出器１３２Ｂに到達する場合よりも大きい。本例では、切替器ポート間光検出器１３２Ｂにより検出される光の強度は、上記閾値を２倍した値よりも大きい。
【０１３７】
次に、光伝送装置１−ｎは、切替部出力側カプラ１２５−２と切替部出力側ポート１２８とを接続するように切替器１２７を制御する。換言すると、光伝送装置１−ｎは、切替部出力側ポート１２８に接続される切替部出力側カプラ１２５−ｍが、切替部出力側カプラ１２５−１から切替部出力側カプラ１２５−２に切り替わるように切替器１２７を制御する。
【０１３８】
この場合、増幅器１１２−１から出力された自然放射増幅光は、切替器ポート間光検出器１３２Ｂに到達しない。
一方、増幅器１１２−２から出力された自然放射増幅光は、上記切り替えの前と同様に導かれるので、切替器ポート間光検出器１３２Ｂに到達する。
【０１３９】
従って、この場合、切替器ポート間光検出器１３２Ｂにより検出される光の強度は、上記閾値よりも大きく、且つ、上記切り替えの前に切替器ポート間光検出器１３２Ｂにより検出された光の強度よりも小さい。本例では、切替器ポート間光検出器１３２Ｂにより検出される光の強度は、上記閾値よりも大きく、且つ、上記閾値を２倍した値以下である。
【０１４０】
（（各ポートの接続が誤っている場合））
切替部入力側ポート１２１−１、切替部入力側ポート１２１−２、及び、切替部出力側ポート１２８に、増幅部出力側ポート１１６−２、トランスポンダ部４０が備えるポート、及び、増幅部出力側ポート１１６−１がそれぞれ接続されている場合を説明する。
【０１４１】
光伝送装置１−ｎは、切替部出力側カプラ１２５−１と切替部出力側ポート１２８とを接続するように切替器１２７を制御する。
【０１４２】
この場合、増幅器１１２−１から出力された自然放射増幅光は、増幅部カプラ１１３−１、増幅部出力側ポート１１６−１、切替部出力側ポート１２８、及び、切替器ポート間カプラ１３１Ｂを順に通過した後に切替器ポート間光検出器１３２Ｂに到達する。
【０１４３】
一方、増幅器１１２−２から出力された自然放射増幅光は、増幅部カプラ１１３−２、増幅部出力側ポート１１６−２、切替部入力側ポート１２１−１、及び、切替部入力側カプラ１２２−１を順に通過した後に切替部出力側カプラ１２５−１に到達する。切替部出力側カプラ１２５−１に到達した光は、切替器１２７、及び、切替器ポート間カプラ１３１Ｂを順に通過した後に切替器ポート間光検出器１３２Ｂに到達する。
【０１４４】
従って、この場合、切替器ポート間光検出器１３２Ｂにより検出される光の強度は、２つの増幅器１１２−１，１１２−２の一方から出力された光のみが切替器ポート間光検出器１３２Ｂに到達する場合よりも大きい。本例では、切替器ポート間光検出器１３２Ｂにより検出される光の強度は、上記閾値を２倍した値よりも大きい。
【０１４５】
次に、光伝送装置１−ｎは、切替部出力側カプラ１２５−２と切替部出力側ポート１２８とを接続するように切替器１２７を制御する。換言すると、光伝送装置１−ｎは、切替部出力側ポート１２８に接続される切替部出力側カプラ１２５−ｍが、切替部出力側カプラ１２５−１から切替部出力側カプラ１２５−２に切り替わるように切替器１２７を制御する。
【０１４６】
この場合、増幅器１１２−１から出力された自然放射増幅光は、上記切り替えの前と同様に導かれるので、切替器ポート間光検出器１３２Ｂに到達する。
一方、増幅器１１２−２から出力された自然放射増幅光は、切替器ポート間光検出器１３２Ｂに到達しない。
【０１４７】
従って、この場合、切替器ポート間光検出器１３２Ｂにより検出される光の強度は、上記閾値よりも大きく、且つ、上記切り替えの前に切替器ポート間光検出器１３２Ｂにより検出された光の強度よりも小さい。本例では、切替器ポート間光検出器１３２Ｂにより検出される光の強度は、上記閾値よりも大きく、且つ、上記閾値を２倍した値以下である。
【０１４８】
このようにして、第１実施形態の第２変形例の光伝送装置１は、各光検出器１１５−１，１１５−２，１２６−１，１２６−２，１３２Ｂにより検出された強度と強度接続関係とに基づいて各ポート１２１−１，１２１−２，１２８に対する接続の正誤を判定する。
【０１４９】
第１実施形態の第２変形例の光伝送装置１によっても、第１実施形態の光伝送装置１と同様の作用及び効果が奏される。
更に、第１実施形態の第２変形例の光伝送装置１によれば、ポート間の接続の正誤の判定を高い精度にて行なうことができる。
【０１５０】
＜第１実施形態の第３変形例＞
次に、第１実施形態の第３変形例の光伝送装置について説明する。第１実施形態の第３変形例の光伝送装置は、第１実施形態の光伝送装置に対して、切替部出力側ポートを複数備える点において相違している。以下、相違点を中心として説明する。なお、第１実施形態の第３変形例の説明において、第１実施形態にて使用した符号と同じ符号を付したものは、同一又はほぼ同様のものである。
【０１５１】
例えば、図９に表されるように、第１実施形態の第３変形例の受信部１０は、第１実施形態の受信部１０が備える切替部１２に代えて、切替部１２Ｃを備える。
切替部１２Ｃは、第１実施形態の切替部１２が備える切替器１２７及び切替部出力側ポート１２８に代えて、切替器１２７Ｃ及びＭ個の切替部出力側ポート１２８Ｃ−１，…，１２８Ｃ−Ｍを備える。
【０１５２】
切替器１２７Ｃは、Ｍ個の切替部出力側ポート１２８Ｃ−１，…，１２８Ｃ−Ｍ、及び、Ｍ個の切替部出力側カプラ１２５−１，…，１２５−Ｍのそれぞれに接続される。切替器１２７Ｃは、Ｍ個の切替部出力側ポート１２８Ｃ−１，…，１２８Ｃ−Ｍのそれぞれと、Ｍ個の切替部出力側カプラ１２５−１，…，１２５−Ｍのうちの１つと、を接続する。更に、切替器１２７は、Ｍ個の切替部出力側ポート１２８Ｃ−１，…，１２８Ｃ−Ｍのそれぞれに接続される切替部出力側カプラ１２５−ｍをＭ個の切替部出力側カプラ１２５−１，…，１２５−Ｍの中で切り替える。切替器１２７Ｃは、クロスコネクトスイッチと表されてもよい。
【０１５３】
切替器１２７Ｃは、切替部出力側ポート１２８−ｐと、切替部出力側カプラ１２５−ｍと、を接続している場合、切替部出力側ポート１２８−ｐから入力された光を切替部出力側カプラ１２５−ｍへ出力する。更に、この場合、切替器１２７は、切替部出力側カプラ１２５−ｍから入力された光を切替部出力側ポート１２８−ｐへ出力する。ｐは、１からＭの各整数を表す。
【０１５４】
Ｍ個の切替部出力側ポート１２８Ｃ−１，…，１２８Ｃ−Ｍのそれぞれは、切替器１２７Ｃに接続される。更に、Ｍ個の切替部出力側ポート１２８Ｃ−１，…，１２８Ｃ−Ｍのそれぞれは、一端が、例えば、トランスポンダ部４０に接続された通信ケーブルの他端を接続可能に構成される。Ｍ個の切替部出力側ポート１２８Ｃ−１，…，１２８Ｃ−Ｍのそれぞれは、通信ケーブルから入力された光を切替器１２７Ｃへ出力するとともに、切替器１２７Ｃから入力された光を通信ケーブルへ出力する。
【０１５５】
第１実施形態の第３変形例の光伝送装置１によっても、第１実施形態の光伝送装置１と同様の作用及び効果が奏される。
【０１５６】
＜第１実施形態の第４変形例＞
次に、第１実施形態の第４変形例の光伝送装置について説明する。第１実施形態の第４変形例の光伝送装置は、第１実施形態の光伝送装置に対して、送信部においてポート間の接続の正誤を検出する点において相違している。以下、相違点を中心として説明する。なお、第１実施形態の第３変形例の説明において、第１実施形態にて使用した符号と同じ符号を付したものは、同一又はほぼ同様のものである。
【０１５７】
例えば、図１０に表されるように、第１実施形態の第３変形例の送信部２０は、増幅部２１と、切替部２２と、を備える。増幅部２１及び切替部２２は、互いに異なる２つの装置をそれぞれ構成してよい。
増幅部２１は、Ｍ組の要素群２１０−１，…，２１０−Ｍを備える。また、以下において、要素群２１０−ｍは、区別する必要がない場合、要素群２１０とも表される。Ｍ組の要素群２１０−１，…，２１０−Ｍは、互いに異なるＭ個の装置をそれぞれ構成してよい。
【０１５８】
要素群２１０−ｍは、増幅部出力側ポート２１１−ｍと、増幅器２１２−ｍと、増幅部カプラ２１３−ｍと、増幅部フィルタ２１４−ｍと、反射器２１５−ｍと、増幅部入力側ポート２１６−ｍと、を備える。
【０１５９】
増幅部カプラ２１３−ｍは、第２カプラの一例である。増幅部フィルタ２１４−ｍは、第２フィルタの一例である。Ｍ個の反射器２１５−１，…，２１５−Ｍは、反射部の一例である。増幅部入力側ポート２１６−ｍは、第２ポートの一例である。
【０１６０】
増幅部出力側ポート２１１−ｍは、一端が、例えば、他の光伝送装置１−ｉ又は１−ｊに接続された通信ケーブルの他端を接続可能に構成される。更に、増幅部出力側ポート２１１−ｍは、後述するように、増幅器２１２−ｍの出力端子に接続される。
【０１６１】
増幅器２１２−ｍは、光を入力する入力端子を有するとともに、入力端子が増幅部カプラ２１３−ｍに接続される。増幅器２１２−ｍは、入力端子から入力された光を増幅する。本例では、増幅器２１２−ｍは、ＥＤＦＡ（Ｅｒｂｉｕｍ  Ｄｏｐｅｄ  Ｆｉｂｅｒ  Ａｍｐｌｉｆｉｅｒ）である。増幅器２１２−ｍは、増幅した光を出力する出力端子を有するとともに、出力端子が増幅部出力側ポート２１１−ｍに接続される。
【０１６２】
増幅部カプラ２１３−ｍは、増幅器２１２−ｍの入力端子と、増幅部フィルタ２１４−ｍと、増幅部入力側ポート２１６−ｍと、のそれぞれに接続される。増幅部カプラ２１３−ｍは、増幅部入力側ポート２１６−ｍから入力された光を２つの光に分岐し、分岐した２つの光の一方を増幅部フィルタ２１４−ｍへ出力するとともに、分岐した２つの光の他方を増幅器２１２−ｍの入力端子へ出力する。更に、増幅部カプラ２１３−ｍは、増幅部フィルタ２１４−ｍから入力された光を増幅部入力側ポート２１６−ｍへ出力する。本例では、増幅部カプラ２１３−ｍは、単方向性のカプラである。
【０１６３】
増幅部フィルタ２１４−ｍは、増幅部カプラ２１３−ｍと、反射器２１５−ｍと、のそれぞれに接続される。増幅部フィルタ２１４−ｍは、入力された光のうちの第ｍ周波数帯域を有する成分を透過する。本例では、増幅部フィルタ２１４−ｍは、増幅部カプラ２１３−ｍから入力された光のうちの第ｍ周波数帯域を有する成分を反射器２１５−ｍへ出力するとともに、当該入力された光のうちの、第ｍ周波数帯域と異なる周波数を有する成分を遮断する。更に、本例では、増幅部フィルタ２１４−ｍは、反射器２１５−ｍから入力された光のうちの第ｍ周波数帯域を有する成分を増幅部カプラ２１３−ｍへ出力するとともに、当該入力された光のうちの、第ｍ周波数帯域と異なる周波数を有する成分を遮断する。
【０１６４】
反射器２１５−ｍは、増幅部フィルタ２１４−ｍに接続される。反射器２１５−ｍは、増幅部フィルタ２１４−ｍから入力された光を反射し、反射した光を増幅部フィルタ２１４−ｍへ出力する。
【０１６５】
増幅部入力側ポート２１６−ｍは、増幅部カプラ２１３−ｍに接続される。更に、増幅部入力側ポート２１６−ｍは、一端が、例えば、後述する切替部出力側ポート２２１−ｍに接続された通信ケーブルの他端を接続可能に構成される。増幅部入力側ポート２１６−ｍは、通信ケーブルから入力された光を増幅部カプラ２１３−ｍへ出力するとともに、増幅部カプラ２１３−ｍから入力された光を通信ケーブルへ出力する。
【０１６６】
切替部２２は、Ｍ組の要素群２２０−１，…，２２０−Ｍと、切替器２２７と、切替部入力側ポート２２８と、を備える。また、以下において、要素群２２０−ｍは、区別する必要がない場合、要素群２２０とも表される。
【０１６７】
要素群２２０−ｍは、切替部出力側ポート２２１−ｍと、切替部出力側カプラ２２２−ｍと、切替部フィルタ２２３−ｍと、切替部出力側光検出器２２４−ｍと、切替部入力側カプラ２２５−ｍと、切替部入力側光検出器２２６−ｍと、を備える。
【０１６８】
切替部出力側ポート２２１−ｍは、第１ポートの一例である。切替部出力側カプラ２２２−ｍは、第１カプラの一例である。切替部フィルタ２２３−ｍは、第１フィルタの一例である。切替部出力側光検出器２２４−ｍは、第１光検出器の一例である。切替部入力側光検出器２２６−ｍは、第２光検出器の一例である。
【０１６９】
切替部出力側ポート２２１−ｍは、一端が、例えば、増幅部入力側ポート２１６−ｍに接続された通信ケーブルの他端を接続可能に構成される。更に、切替部出力側ポート２２１−ｍは、切替部出力側カプラ２２２−ｍに接続される。切替部出力側ポート２２１−ｍは、通信ケーブルから入力された光を切替部出力側カプラ２２２−ｍへ出力するとともに、切替部出力側カプラ２２２−ｍから入力された光を通信ケーブルへ出力する。
【０１７０】
切替部出力側カプラ２２２−ｍは、切替部出力側ポート２２１−ｍと、切替部フィルタ２２３−ｍと、切替部入力側カプラ２２５−ｍと、のそれぞれに接続される。切替部出力側カプラ２２２−ｍは、切替部出力側ポート２２１−ｍから入力された光を２つの光に分岐し、分岐した２つの光の一方を切替部フィルタ２２３−ｍへ出力するとともに、分岐された２つの光の他方を切替部入力側カプラ２２５−ｍへ出力する。
【０１７１】
更に、切替部出力側カプラ２２２−ｍは、切替部入力側カプラ２２５−ｍから入力された光を切替部出力側ポート２２１−ｍへ出力する。加えて、切替部出力側カプラ２２２−ｍは、切替部フィルタ２２３−ｍから入力された光を切替部出力側ポート２２１−ｍへ出力する。本例では、切替部出力側カプラ２２２−ｍは、単方向性のカプラである。
【０１７２】
切替部フィルタ２２３−ｍは、切替部出力側カプラ２２２−ｍと、切替部出力側光検出器２２４−ｍと、のそれぞれに接続される。切替部フィルタ２２３−ｍは、入力された光のうちの第ｍ周波数帯域を有する成分を透過する。
【０１７３】
本例では、切替部フィルタ２２３−ｍは、切替部出力側カプラ２２２−ｍから入力された光のうちの第ｍ周波数帯域を有する成分を切替部出力側光検出器２２４−ｍへ出力するとともに、当該入力された光のうちの、第ｍ周波数帯域と異なる周波数を有する成分を遮断する。
【０１７４】
このように、切替部フィルタ２２３−ｍが透過する光が有する周波数帯域（換言すると、第ｍ周波数帯域）は、切替部フィルタ２２３−ｍに対応する増幅部フィルタ２１４−ｍが透過する光が有する周波数帯域（換言すると、第ｍ周波数帯域）と一致する。
【０１７５】
切替部出力側光検出器２２４−ｍは、切替部フィルタ２２３−ｍに接続される。切替部出力側光検出器２２４−ｍは、切替部フィルタ２２３−ｍから入力された光（換言すると、切替部フィルタ２２３−ｍを透過した光）の強度を検出する。本例では、切替部出力側光検出器２２４−ｍは、フォトダイオードを含む。
【０１７６】
切替部入力側カプラ２２５−ｍは、切替部出力側カプラ２２２−ｍと、切替部入力側光検出器２２６−ｍと、切替器２２７と、のそれぞれに接続される。切替部入力側カプラ２２５−ｍは、切替部出力側カプラ２２２−ｍから入力された光を２つの光に分岐し、分岐した２つの光の一方を切替部入力側光検出器２２６−ｍへ出力するとともに、分岐された２つの光の他方を切替器２２７へ出力する。更に、切替部入力側カプラ２２５−ｍは、切替器２２７から入力された光を２つの光に分岐し、分岐した２つの光の一方を切替部入力側光検出器２２６−ｍへ出力するとともに、分岐した２つの光の他方を切替部出力側カプラ２２２−ｍへ出力する。本例では、切替部入力側カプラ２２５−ｍは、双方向性のカプラである。
【０１７７】
切替部入力側光検出器２２６−ｍは、切替部入力側カプラ２２５−ｍに接続される。切替部入力側光検出器２２６−ｍは、切替部入力側カプラ２２５−ｍから入力された光の強度を検出する。本例では、切替部入力側カプラ２２５−ｍは、フォトダイオードを含む。
【０１７８】
切替器２２７は、切替部入力側ポート２２８、及び、Ｍ個の切替部入力側カプラ２２５−１，…，２２５−Ｍのそれぞれに接続される。切替器２２７は、切替部入力側ポート２２８と、Ｍ個の切替部入力側カプラ２２５−１，…，２２５−Ｍのうちの１つと、を接続する。更に、切替器２２７は、切替部入力側ポート２２８に接続される切替部入力側カプラ２２５−ｍをＭ個の切替部入力側カプラ２２５−１，…，２２５−Ｍの中で切り替える。
【０１７９】
切替器２２７は、切替部入力側ポート２２８と、切替部入力側カプラ２２５−ｍと、を接続している場合、切替部入力側ポート２２８から入力された光を切替部入力側カプラ２２５−ｍへ出力する。更に、この場合、切替器２２７は、切替部入力側カプラ２２５−ｍから入力された光を切替部入力側ポート２２８へ出力する。
【０１８０】
切替部入力側ポート２２８は、切替器２２７に接続される。更に、切替部入力側ポート２２８は、一端が、例えば、トランスポンダ部４０に接続された通信ケーブルの他端を接続可能に構成される。切替部入力側ポート２２８は、通信ケーブルから入力された光を切替器２２７へ出力するとともに、切替器２２７から入力された光を通信ケーブルへ出力する。
【０１８１】
本例では、切替部入力側ポート２２８には、切替部出力側ポート１２８が接続される。これにより、受信部１０において、増幅器１１２−１又は増幅器１１２−２により出力された自然放射増幅光が切替部入力側ポート２２８に入力される。
【０１８２】
処理部３２は、４個の光検出器２２４−１，２２４−２，２２６−１，２２６−２のそれぞれにより検出された強度と、記憶部３１に記憶された強度接続関係と、に基づいて３個のポート２２１−１，２２１−２，２２８のそれぞれに対する接続の正誤を判定する。
【０１８３】
本例では、処理部３２は、切替部入力側ポート２２８に接続される切替部入力側カプラ２２５−ｍが切り替わるように切替器２２７を制御する。処理部３２は、切り替えの前の時点、及び、切り替えの後の時点のそれぞれにて、４個の光検出器２２４−１，２２４−２，２２６−１，２２６−２のそれぞれにより検出された強度を取得する。
【０１８４】
処理部３２は、取得された強度のそれぞれが上記閾値よりも大きいか否かを判定し、当該判定の結果と、記憶部３１に記憶された強度接続関係と、に基づいて３個のポート２２１−１，２２１−２，２２８のそれぞれに対する接続の正誤を判定する。
【０１８５】
第１実施形態の第４変形例の光伝送装置１によっても、第１実施形態の光伝送装置１と同様の作用及び効果が奏される。
更に、第４変形例の光伝送装置１によれば、切替部出力側光検出器２２４−１，２２４−２により検出された光の強度に基づいて、切替部出力側ポート２２１−１，２２１−２と、増幅部入力側ポート２１６−１，２１６−２と、の間の接続の正誤を検出できる。
【符号の説明】
【０１８６】
１００  光通信システム
１−１，…，１−Ｎ  光伝送装置
１０    受信部
１１    増幅部
１１０−１，…，１１０−Ｍ  要素群
１１１−１，…，１１１−Ｍ  増幅部入力側ポート
１１２−１，…，１１２−Ｍ  増幅器
１１３−１，…，１１３−Ｍ  増幅部カプラ
１１４−１，…，１１４−Ｍ  増幅部フィルタ
１１５−１，…，１１５−Ｍ  増幅部光検出器
１１６−１，…，１１６−Ｍ  増幅部出力側ポート
１２，１２Ａ，１２Ｂ，１２Ｃ  切替部
１２０−１，…，１２０−Ｍ  要素群
１２１−１，…，１２１−Ｍ  切替部入力側ポート
１２２−１，…，１２２−Ｍ  切替部入力側カプラ
１２３−１，…，１２３−Ｍ  切替部フィルタ
１２４−１，…，１２４−Ｍ  反射器
１２４Ａ  反射器
１２５−１，…，１２５−Ｍ  切替部出力側カプラ
１２６−１，…，１２６−Ｍ  切替部光検出器
１２７，１２７Ｃ  切替器
１２８  切替部出力側ポート
１２８Ｃ−１，…，１２８Ｃ−Ｍ  切替部出力側ポート
１２９Ａ  反射部カプラ
１３１Ｂ  切替器ポート間カプラ
１３２Ｂ  切替器ポート間光検出器
２０    送信部
２１    増幅部
２１０−１，…，２１０−Ｍ  要素群
２１１−１，…，２１１−Ｍ  増幅部出力側ポート
２１２−１，…，２１２−Ｍ  増幅器
２１３−１，…，２１３−Ｍ  増幅部カプラ
２１４−１，…，２１４−Ｍ  増幅部フィルタ
２１５−１，…，２１５−Ｍ  反射器
２１６−１，…，２１６−Ｍ  増幅部入力側ポート
２２    切替部
２２０−１，…，２２０−Ｍ  要素群
２２１−１，…，２２１−Ｍ  切替部出力側ポート
２２２−１，…，２２２−Ｍ  切替部出力側カプラ
２２３−１，…，２２３−Ｍ  切替部フィルタ
２２４−１，…，２２４−Ｍ  切替部出力側光検出器
２２５−１，…，２２５−Ｍ  切替部入力側カプラ
２２６−１，…，２２６−Ｍ  切替部入力側光検出器
２２７  切替器
２２８  切替部入力側ポート
３０    制御部
３１    記憶部
３２    処理部
４０    トランスポンダ部
【図１】
2017041847.tif 000003
【図２】
2017041847.tif 000004
【図３】
2017041847.tif 000005
【図４】
2017041847.tif 000006
【図５】
2017041847.tif 000007
【図６】
2017041847.tif 000008
【図７】
2017041847.tif 000009
【図８】
2017041847.tif 000010
【図９】
2017041847.tif 000011
【図１０】
2017041847.tif 000012